(57)【要約】【課題】電力情報および、異常に対する警報情報を管理する電力管理装置において、異常対応の負荷を軽減させる。【解決手段】電力管理装置４０は、異常に対して送信される警報を受信して、異常発生送信先のＩＤと送信された警報内容から電力管理装置４０の警報プロファイルＤＢ４４に格納されているテーブル情報と一致するテーブル情報を取得する。電力管理装置４０は異常発生元から異常に対処する度に送信される警報を受信した場合、取得したテーブル情報を参照して格納されている異常に対処する度に送信される警報と一致した項目を受信済みに更新する。全ての項目を更新できた場合、緊急性を有さない警報情報を対応先に送信する。【選択図】図４
2013161118.tif 000002
【特許請求の範囲】
【請求項１】
異常が発生したことに対して送信される第一の警報と前記異常に対処する度に送信される少なくともひとつの第二の警報を受信する警報受信部と、
前記第一の警報に対して、送信されるべき第二の警報を規定したテーブル情報を取得して、取得した前記テーブル情報に格納されている第二の警報と一致する第二の警報を受信したかを判定して、取得した前記テーブル情報に格納されている第二の警報と一致する第二の警報を全て受信したとき、緊急性を有さない旨を記載した警報情報を作成する制御部と、
前記警報情報を前記警報からあらかじめ設定された対応先に送信する警報情報送信部と、
を備える電力管理装置。
【請求項２】
異常に対処するための処理が複数あり、前記処理が実行される度に送信される第二の警報を受信することを特徴とする請求項１に記載の電力管理装置。
【請求項３】
前記第一の警報は蓄電装置の異常に対する警報であることを特徴とする請求項１または２に記載の電力管理装置。
【請求項４】
前記第一の警報は双方向電力変換部の異常に対する警報であることを特徴とする請求項１から３のいずれかに記載の電力管理装置。
【請求項５】
前記第一の警報は通信異常に対する警報であることを特徴とする請求項１から４のいずれかに記載の電力管理装置。
【請求項６】
前記制御部は前記テーブル情報に格納されている第二の警報を受信できなかったと判定したときに、緊急性を有する旨を記載した警報情報を作成することを特徴とする請求項１から５のいずれかに記載の電力管理装置。
【請求項７】
前記警報受信部は受信した第一の警報もしくは第二の警報を格納部に格納して、前記制御部は前記格納部に第一の警報もしくは第二の警報が格納されているかを定期的に監視し、前記格納部に第一の警報もしくは第二の警報が格納されていた場合、前記制御部は第一の警報もしくは第二の警報を判定することを特徴とする請求項１から６のいずれかに記載の電力管理装置。
【請求項８】
前記制御部は前記警報受信部が受信した第一の警報もしくは第二の警報を時系列順に判定することを特徴とする請求項１から７のいずれかに記載の電力管理装置。
【請求項９】
前記警報情報は電子メールであることを特徴とする請求項1から８のいずれかに記載の電力管理装置。
【発明の詳細な説明】
【技術分野】
【０００１】
本発明は、蓄電システムに係り、電力情報を管理する電力管理装置に関する。
【背景技術】
【０００２】
商用外部電源からの電力や太陽光発電や風力発電などの自然エネルギーに基づき発電された電力を蓄積する蓄電池を備えた施設が実用化されている。
【０００３】
また、蓄電池を備えた施設の電力情報を管理するシステムが知られている。下記の特許文献１は、二次電池の状態や障害を集中的に管理する集中管理システムが開示されている。
【先行技術文献】
【特許文献】
【０００４】
【特許文献１】特開２０１１−１４６８７７
【発明の概要】
【発明が解決しようとする課題】
【０００５】
特許文献１では、監視対象物を監視する下位システムの管理装置が監視対象物の物理量を測定する。測定した物理量が正常でない状態の場合にエラー信号を上位システムの管理装置に送信する集中管理システムである。下位システムの管理装置が監視対象物を正常でないと判定した場合、上位システムの管理装置にエラー信号を送信する。上位システムの管理装置に送信されたエラー信号の情報を所定の端末に送信するため、複数のエラー信号の情報を受け取った管理者は受け取った複数のエラー信号から自ら判断してエラー信号の対応をしなければならず、負担が発生する。
【０００６】
本発明は警報対応の負担を減らし、利便性の向上を提供することにある。
【課題を解決するための手段】
【０００７】
電力管理装置は、異常が発生したことに対して送信される第一の警報と前記異常に対処する度に送信される少なくともひとつの第二の警報を受信する警報受信部と、
前記第一の警報に対して、送信されるべき第二の警報を規定したテーブル情報を取得して、取得した前記テーブル情報に格納されている第二の警報と一致する第二の警報を受信したかを判定して警報情報を作成する制御部と、前記警報情報を設定された対応先に送信する警報情報送信部と、
を備える。
【発明の効果】
【０００８】
本発明に係る電力管理装置は、警報対応の負担を減らし、利便性を向上させることができる。
【図面の簡単な説明】
【０００９】
【図１】本発明の実施の形態１に係る蓄電システムが適用される施設集合体を示す図面である。
【図２】本発明の実施の形態１に係る蓄電棟を説明する図面である。
【図３】実施の形態１に係る電力管理装置の警報処理の機能ブロックを示す図面である。
【図４】本発明の実施の形態１に係るサブコントローラと電力管理装置との通信を説明するためのフローチャートを示す図面である。
【図５】本発明の実施の形態２に係るサブコントローラと電力管理装置との通信を説明するためのフローチャートを示す図面である。
【図６】本発明の実施の形態２に係るサブコントローラと電力管理装置との通信を説明するためのフローチャートを示す図面である。
【発明を実施するための形態】
【００１０】
図１は本発明の実施の形態に係る蓄電システムが適用される施設集合体１００を説明するための図である。実線は通信線を示し、点線の矢印はメールサーバ３００から警報情報を送信する流れを示している。メールサーバ３００はＷＡＮ(Ｗｉｄｅ  Ａｒｅａ  Ｎｅｔｗｏｒｋ)２００とＬＡＮ(Ｌｏｃａｌ Ａｒｅａ Ｎｅｔｗｏｒｋ)１０を介して施設集合体１００に接続される。
【００１１】
携帯機器４００はメールサーバ３００から警報情報を受信可能なものなら如何なるものでもよく、例えば携帯電話、ポータブルコンピュータ等でよい。なお、警報情報はネットワークを通じて送信可能な手段なら如何なるものでもよく、実施の形態１では電子メールを使用する。
【００１２】
施設集合体１００は少なくともＬＡＮ１０、蓄電棟２０、システムコントローラ３０、そして電力管理装置４０を含んでいる。蓄電棟２０、システムコントローラ３０、そして電力管理装置４０はＬＡＮ１０を介して接続される。なお、施設集合体１００はＬＡＮ１０に接続されていれば、複数の施設に分けて構成されてもよい。蓄電棟２０はＬＡＮ１０とＷＡＮ２００を介してメールサーバ３００に接続される。
【００１３】
図２は、本発明の実施の形態１に係る蓄電棟２０を説明する図面である。電力線は実線で示し、指令、警報情報の流れる方向は矢印で示している。蓄電棟２０は少なくとも系統電源１１、系統１２、負荷１３、電力計１４、そして蓄電装置２２を含む。ただし、図面では蓄電装置２２、双方向電力変換部２５をひとつしか記載していないが蓄電装置２２、双方向電力変換部２５が複数存在してもよい。
【００１４】
系統電源１１は系統１２を介して負荷１３と双方向電力変換部２６に接続される。電力計１４は系統１２と負荷１３の間に接続される。電力計１４は負荷１３で消費した電力を計測する。計測した電力データは消費電力情報としてシステムコントローラ３０に送信される。
【００１５】
蓄電装置２２はブレーカ回路２５と双方向電力変換部２６を介して系統１２に接続される。蓄電装置２２は、少なくとも、複数の蓄電池を直列接続した蓄電池ユニット２１と蓄電池ユニット２１の充放電状態を測定する装置が含まれる。なお、蓄電池は二次電池であればよく、例えばリチウムイオン電池、ニッケル水素電池、鉛蓄電池等がある。蓄電池の数は任意であり、設計者により決定される。
【００１６】
双方向電力変換部２６は系統電源１１から供給される交流電力を直流電力に変換する。変換した直流電力を蓄電装置２２に充電する。また、蓄電装置２２から放電された直流電力を交流電力に変換し、系統１２に出力する。この交流電力は負荷１３で消費される。
【００１７】
電力変換管理部２７は１つまたは複数の双方向電力変換部２６の充放電制御を管理する機能を有する。電力変換管理部２７はマスターコントローラ２９から双方向電力変換部２６の全体の充放電出力を制御する双方向電力変換部２６の充放電制御指令を受ける。また、電力変換管理部２７は、双方向電力変換部２６の異常を示す情報を電力変換部管理データとしてマスターコントローラ２９に送信する。双方向電力変換部２６の異常とは双方向
電力変換部２６の充放電制御指令等に基づいた制御ができない異常のことで、例えば、双方向電力変換部２６の停止や出力電圧低下等のハードの異常もしくは電力変換管理部２７との通信ができない通信異常のことである。
【００１８】
マスターコントローラ２９は電力変換管理部２７から受信した電力変換部管理データを異常に対する警報としてシステムコントローラ３０と電力管理装置４０に送信する。異常に対する警報を送信後、電力変換管理部２７は異常が発生した双方向電力変換部２６の停止命令を出し、異常が発生した双方向電力変換部２６の停止をさせる。異常が発生した双方向電力変換部２６の停止をさせた後、電力変換管理部２７は異常に対処したことに対する警報をマスターコントローラ２９に送信する。
【００１９】
ブレーカ回路２５は双方向電力変換部２６と蓄電装置２２の間に接続される。ブレーカ回路２５は蓄電装置２２を構成する複数の蓄電池ユニット２１と双方向電力変換部２６間の充放電経路を選択的に遮断するもので、蓄電池ユニット２１の充放電経路のＯＮ・ＯＦＦをするスイッチ２３、全てのスイッチ２３を統括して遮断するブレーカ２４を含む。また、ブレーカ回路２５はサブコントローラ２８と通信をして、ブレーカ回路２５はサブコントローラ２８から切断命令を受信する。切断命令を受けたスイッチ２３もしくはブレーカ２４は蓄電装置２２と双方向電力変換部２６間の命令に応じた部分の充放電経路を切断する。ブレーカ回路２５はサブコントローラ２８に充放電経路を切断したことに対して応答をする。なお、スイッチ２３のＯＮ・ＯＦＦはサブコントローラ２８との通信及び手動で切断出来るが、ブレーカ２４の停止解除は手動でのみ出来るものである。
【００２０】
サブコントローラ２８は一つまたは複数の蓄電装置２２の充放電制御をするもので、各蓄電装置２２に設けられる。サブコントローラ２８は蓄電装置２２、ブレーカ回路２５、マスターコントローラ２９、そして電力管理装置４０との通信をしている。サブコントローラ２８は蓄電装置２２と通信をして、蓄電装置２２の充放電状態に関するデータを一定間隔で取得している。なお、蓄電装置２２の充放電状態に関するデータ（以下、充放電電力情報)とは蓄電装置２２の充電電力、放電電力、電圧、電流、温度等のいずれかのデータである。
【００２１】
サブコントローラ２８は取得したデータから蓄電装置２２の異常の有無を判定する。異常があると判定した場合、サブコントローラ２８は異常に対する警報を電力管理装置４０に送信する。その後、サブコントローラ２８はブレーカ回路２５の各蓄電池ユニット２１のスイッチ２３もしくはブレーカ２４の異常個所に切断指令を送り、切断指令をブレーカ回路に送信したことに対する警報を電力管理装置４０に送信する。また、サブコントローラ２８は受信した充放電電力情報をマスターコントローラ２９に送信する。
【００２２】
マスターコントローラ２９は双方向電力変換部２６の制御をしている一つまたは複数の電力変換管理部２７と蓄電装置２２の充放電制御をしている一つまたは複数のサブコントローラ２８の充放電制御指令をするもので、全ての電力管理部２７とサブコントローラ２８を統括しているものである。
【００２３】
マスターコントローラ２９は、双方向電力変換部２６、サブコントローラ２８、システムコントローラ３０、そして電力管理装置４０との相互通信をしている。マスターコントローラ２９は各サブコントローラ２８から蓄電装置２２の充放電電力情報を受け取り、電力管理装置４０に充放電電力情報を送信する。電力管理装置４０は充放電電力情報を受信したことに対してマスターコントローラ２９に応答をする。
【００２４】
また、マスターコントローラ２９は任意で定められた時間内にサブコントローラ２８から充放電電力情報を受け取らなかった場合、マスターコントローラ２９はサブコントロー
ラ２８との間で通信異常が発生したとして、通信異常に対する警報も電力管理装置４０に送信することができる。
【００２５】
システムコントローラ３０は施設集合体１００内の全ての電力情報および警報情報を管理するものである。システムコントローラ３０は電力管理装置４０から送信される充放電電力情報、負荷１３に接続される電力計１４から送信される消費電力情報に基づいて、蓄電装置２２と双方向電力変換部２６の充放電制御をするための全体充放電制御指令を作成する機能を有する。
【００２６】
システムコントローラ３０は電力管理装置４０から送信される充放電電力情報から充放電計画を作成し、作成した充放電計画に従った全体充放電制御指令を生成する。充放電計画とは、負荷１３の必要電力状況や蓄電装置２２の状態に合わせて、適切な充放電制御を、双方向電力変換部２６、サブコントローラ２８にさせるものである。
【００２７】
システムコントローラ３０はマスターコントローラ２９に全体充放電制御指令を送信する。マスターコントローラ２９は全体充放電制御指令に基づいて、各サブコントローラ２８と双方向電力変換部２６に充放電指令を送信する。システムコントローラ３０からの全体充放電制御指令は必要なときに送信されるので、送信間隔が長いときにシステムコントローラ３０が動作中であるか否かを確認するための死活確認信号が、マスターコントローラ２９からシステムコントローラ３０に任意で定めた適当な周期で送信される。そのため、マスターコントローラ２９はシステムコントローラ３０から任意で定めた時間内で応答がない場合、システムコントローラ３０の通信異常が発生したことに対する警報を電力管理装置４０に送信できる。
【００２８】
電力管理装置４０は蓄電装置２２に関する電力情報を管理するもので、サブコントローラ２８、マスターコントローラ２９と通信路で接続される。
【００２９】
電力管理装置４０はマスターコントローラ２９から充放電電力情報を受信して、システムコントローラ３０に充放電電力情報を送信する。
また、電力管理装置４０はサブコントローラ２８とマスターコントローラ２９から送信される警報情報の管理を行う。システムコントローラ３０と電力管理装置４０はマスターコントローラ２９から送信される警報を受け取ることができる。ここで、電力管理装置４０に送信される警報としては異常に対して送信される警報である、重故障警報、軽故障警報、そしてログデータ未到達と、異常に対処する度に送信される警報である、必須処理警報に分類できる。
【００３０】
重故障警報とは、重大な異常に対する警報は異常が発生したら直ちに対処しなければならない異常を知らせる警報で少なくとも異常発生箇所の情報を含む警報である。また、軽故障警報とは、異常が発生しても直ちに対処しなくてもよい異常を知らせる警報で少なくとも異常発生箇所の情報を含む警報である。また、必須処理警報とは、重大な異常が発生した場合に必ず対処しなければならない処理を実行したことに対する警報であり、少なくとも異常に対処した箇所と実行した処理内容を含む情報である。また、ログデータ未到達とはマスターコントローラ２９が受信した通信異常に対する警報であり、少なくとも通信異常発生箇所の情報を含む警報である。これらの警報は単に異常発生を直ちに知らせることを目的とした比較的情報量の少ない簡単な内容である。
【００３１】
この警報の情報量の少なさを補うために、電力管理装置４０は異常の詳細な内容を送信する機能を有し、あらかじめ設定したメールサーバに警報の詳細内容データである警報情報を送信することができる。
【００３２】
図３は、本発明の実施の形態１に係る電力管理装置４０の警報の詳細内容データである警報情報を作成するための機能ブロックを示す図面である。
【００３３】
電力管理装置４０の警報の詳細内容データである警報情報を作成するための機能は少なくとも、警報受信部４１、制御部４２、格納部４３そして警報情報送信部４８を含む。
【００３４】
警報受信部４１はサブコントローラ２８またはマスターコントローラ２９から警報を受信する。
【００３５】
警報受信部４１は警報を受信した後、受信したことに対して送信したサブコントローラ２８または、マスターコントローラ２９に応答をする。
【００３６】
警報受信部４１に一度に複数の警報が送信された場合、応答処理ができない警報は格納部４２に一時的に格納できる。
【００３７】
制御部４３は電力管理装置４０に送信された警報から警報情報を作成する機能を有し、少なくとも警報プロファイルＤＢ４４、警報取得部４５、警報処理部４５、そして警報情報作成部４７を含む。
【００３８】
警報プロファイルＤＢ４４にはサブコントローラ２８およびマスターコントローラ２９のＩＤとテーブル情報が格納されている。ここで、テーブル情報とは異常に対して送信される警報に対して、送信されるべき異常に対処する度に送信される少なくとも一つの警報である必須処理警報を規定したテーブル情報である。
【００３９】
テーブル情報の内容としては、例えば蓄電装置２２で異常が発生した場合に、重大な異常に対する警報を送信したサブコントローラ２８のＩＤ、異常発生対象の蓄電池ユニット２１の列数、異常発生対象の蓄電池ユニット２１のスイッチ２３およびブレーカ２４の個数、必須処理警報項目、タイムアウト時間等の情報が格納されたテーブル情報である。
【００４０】
なお、テーブル情報は、ひとつの異常に対して、異常の対処を分割して、分割した対処が処理される度に送信される警報を含んでもよい。
【００４１】
ここで、必須処理警報とは異常が発生した場合に蓄電装置や電力変換部を安全に停止させるために必ず対処するべき処理が実行されたことに対して送信される警報のことである。例えば、蓄電装置２２の蓄電池ユニットで重大な異常が発生した場合、蓄電装置２２を安全に停止させるには、異常発生の対応者の感電防止等の安全性を考えて異常が発生した蓄電装置２２の充放電経路を全て遮断する必要がある。そのため、必須処理には異常が発生した蓄電池ユニットのスイッチ２３を切断処理したことに対するＬｉＢ断警報、各蓄電池ユニットのスイッチ２３を切断処理したことに対する全ＬｉＢ断警報、全てのスイッチ２３を統括するブレーカ２４を切断処理したことに対するブレーカ断警報等が考えられる。
【００４２】
警報取得部４５は警報を送信した送信先のＩＤと警報から警報プロファイルＤＢ４４に格納されているテーブル情報を取得する。
【００４３】
警報処理部４５は受信した警報をテーブル情報の必須処理警報項目に一致するか否かを判定する。受信した警報のひとつがテーブル情報の必須処理警報項目に一致した場合、テーブル情報の必須処理警報項目の対応箇所を受信済みに更新する。テーブル情報の全ての必須処理警報項目が受信済みに更新された場合、緊急性を有さない情報を警報情報に含む。
【００４４】
警報情報作成部４７はテーブル情報から警報情報を作成する。警報情報としては少なくとも、緊急対応性の要・不要、発生場所、発生時刻、そして、警報対応の有無等である。
【００４５】
電子メールで警報情報を送信する場合、電子メールの件名に緊急対応性の要・不要等の早急に対応できるような記載をして受信した対応者が電子メールの本文を読まなくても異常対応の判断ができるようにしても良い。
また、警報情報作成部４７は送信された異常が発生したことに対して送信される警報に基づいて、あらかじめ設定された送信宛に送信する。
【００４６】
警報情報送信部４８は警報情報作成部４７で作成した警報情報を記載した電子メール(以下、警報メール)をメールサーバ３００に送信をする。
【００４７】
図４は本発明の実施の形態１に係るサブコントローラ２８と電力管理装置４０との通信を説明するためのフローチャートを示す図面である。ここで、蓄電装置２２内の蓄電池ユニット２１の一部に異常が発生した場合を想定している。先ず、サブコントローラ２８側の警報処理の流れを説明する。
【００４８】
サブコントローラ２８は蓄電装置２２から蓄電池ユニット２１の充放電電力情報を取得する (Ｓ１) 。取得した充放電電力情報に基づいてサブコントローラ２８は蓄電池ユニット２１の充放電状態の異常有無を判定する (Ｓ２) 。充放電状態に異常が無いと判断した場合、サブコントローラ２８は蓄電装置２２に異常が無いと判定をする。
【００４９】
蓄電ユニットの充放電状態に異常があった場合は蓄電装置２２に異常が発生したと判定をして、サブコントローラ２８は電力管理装置４０に異常に対する警報を送信する (Ｓ３) 。サブコントローラ２８は異常に対する警報を送信したことに対する電力管理装置４０からの応答をうける （Ｓ４） 。
【００５０】
サブコントローラ２８は取得した充放電電力情報から必須処理である蓄電ユニットのスイッチ２３もしくはブレーカ２４を切断するか否かを判断する  (Ｓ５） 。
【００５１】
必須処理を行う場合、ブレーカ回路２５は蓄電池ユニットに異常が発生した場合の必須処理であるブレーカ回路２５のスイッチ２３もしくはブレーカ２４の切断を実行すると共に、警報受信部４１に必須処理警報を送信する (Ｓ６) 。必須処理警報を送信後、サブコントローラ２８は電力管理装置４０から必須処理警報に対する応答を受ける (Ｓ７) 。
【００５２】
サブコントローラ２８は、電力管理装置４０から応答を受けた後Ｓ５に戻り、継続して必須処理指令をするか否かを判断する。
【００５３】
次に電力管理装置４０の警報処理の流れを説明する。電力管理装置４０は、サブコントローラ２８から異常に対する警報を受信する (Ｓ８) 。その後、電力管理装置４０は、異常に対する警報を受信したことに対してサブコントローラ２８に応答をする (Ｓ９) 。
【００５４】
警報プロファイルＤＢ４４で異常に対する警報を送信したサブコントローラ２８のＩＤの取得と、取得したＩＤと送信された警報からテーブル情報を検索し、異常に対する警報を送信したサブコントローラ２８のＩＤと送信された警報に一致するテーブル情報を取得できたか否かの判定をする (Ｓ１０) 。警報受信部４１はサブコントローラ２８から必須処理警報を受信する (Ｓ１１) 。電力管理装置４０はサブコントローラ２８から警報を受信したことに対する応答を送信する (Ｓ１２) 。
【００５５】
警報処理部４５は、サブコントローラ２８から送信された必須処理警報に対してテーブル情報に格納されている必須処理警報項目を参照して必須処理警報項目に一致した場合、一致した必須処理警報項目を受信済みに更新する (Ｓ１３) 。警報処理部４４は取得したテーブル情報に格納されているタイムアウト時間だけ待機して、取得したテーブル情報に格納されている必須処理警報項目を全て受信済みに更新できたか判断する (Ｓ１４) 。
【００５６】
取得したテーブル情報に格納されている必須処理警報を全て受信済みに更新できた場合、サブコントローラ２８が異常に対応する処理ができたため、緊急性を有さない。そのため、警報作成部４５は、緊急対応不要の内容を記載した警報情報を作成する (Ｓ１５) 。
【００５７】
警報受信部４１が必須処理警報を受信しなかった場合と、警報処理部４４が取得したテーブル情報の全ての必須処理警報項目を全て受信済みにできなかった場合、警報情報作成部４７は、異常の対応が必要な旨を記載した警報情報を作成する (Ｓ１６) 。 警報情報送信部４６は作成した警報情報をメールサーバ３００に送信する (Ｓ１７) 。
【００５８】
メールサーバ３００に送信された警報メールは警報情報作成部４７で設定された送信先に送信される (Ｓ１８) 。異常に対応する者はメールサーバ３００から受信した警報メールの内容から異常対応の判断をする。
【００５９】
以上、説明したように本実施の形態１によれば、蓄電装置２２に異常が発生した場合に警報を受信した警報管理装置２２は警報を集約して、一括の情報にまとめた警報情報を対応者に送信することで、同じ異常に関する複数の警報が送信されることを抑制することができる。
【００６０】
また、緊急性を有さない旨を記載した警報情報を送信することで、対応者は警報情報の内容で異常に対して迅速な対応が必要か否かの判断容易になる。
また、異常の対応先は事前に異常の状況を知ることができるため対応が容易になる。なお、警報受信部４１が必須処理警報を受信しなかった場合、警報処理部４４がテーブル情報を取得できなかった場合、そして、警報処理部４４が取得したテーブル情報の全ての必須処理警報項目を全て受信済みにできなかった場合は、異常に対する緊急性を有する旨を記載した警報を送信してもよい。なぜなら、サブコントローラ２８が異常に対応することができなかったため異常に対する緊急性を有する。もしくは異常に対する処理ができなかったサブコントローラ２８に異常があるため緊急性を有するためである。緊急性を有する旨を記載した警報を送信することで、異常の重大さではなく異常対する緊急性を有するか否かを判断できる警報情報を送信することができる。
【００６１】
電力管理装置４０はサブコントローラ２８から無作為で警報が送信される。そのため、電力管理装置４０はサブコントローラ２８から同時間帯に複数の警報が送信される場合がある。そこで、実施の形態２では、同時間帯に複数の警報が送信され場合に電力管理装置４０が警報を処理するために係る負担を軽減できる変形例を示す。
【００６２】
図５と図６は本発明の実施の形態２に係るサブコントローラ２８と電力管理装置４０との通信を説明するためのフローチャートを示す図面である。第１実施の形態同様に蓄電装置２２内の蓄電池ユニット２１の一部に異常が発生した場合を想定している。先ず、サブコントローラ２８側の警報処理の流れを説明する。
【００６３】
警報受信部４１は無作為で送信される警報を格納部４２に格納する。制御部４３は格納部４２に警報が格納されているかを定期的に監視し、警報が格納されている場合、制御部は警報の処理を実行する。定期監視は任意に設定された時間間隔で監視するものである。制御部４３が格納部４２を監視していない場合に警報が送信されたときは、警報は格納部
４２に一時的に格納される。
【００６４】
図５に示すＳ１９からＳ２５までのサブコントローラ２８のステップは実施の形態１で説明したステップ(Ｓ１からＳ７)と同様であるので、ここでの説明を省略する。
【００６５】
次に電力管理装置４０側の警報処理の流れを説明する。サブコントローラ２８から異常に対する警報を受信する (Ｓ２６) 。
【００６６】
警報受信部４１はサブコントローラ２８に異常に対する警報を受信したことに対する応答を送信する (Ｓ２７) 。サブコントローラ２８から必須処理警報を受信する (Ｓ２８) 。電力管理装置４０はサブコントローラ２８に必須処理警報を送信する (Ｓ２９) 。
【００６７】
電力管理装置４０は定期監視を開始すると、警報取得部４５に一時的に格納している一つまたは複数の警報を警報処理部４５送る。警報取得部４５は警報プロファイルＤＢ４４で警報を送信したサブコントローラ２８のＩＤを取得する (Ｓ３０) 。取得したＩＤから警報処理部４５が集約処理中か否を判断される (Ｓ３１) 。 
【００６８】
取得したＩＤから警報処理部４５が集約処理中の場合、警報処理部４５は取得したテーブル情報に基づいた必須処理警報を集約する。取得したＩＤから警報処理部４５が集約処理中でない場合、警報取得部４５は受信した警報と一致するテーブル情報を検索し、受信した警報を送信したサブコントローラ２８のＩＤと警報に一致するテーブル情報を取得できたか否かの判定をする (Ｓ３２) 。
【００６９】
テーブル情報を取得した場合、警報処理部４５は警報の集約処理を開始する。警報処理部４５は、サブコントローラ２８から送信された必須処理警報に対してテーブル情報に格納されている必須処理警報項目を参照して必須処理警報項目に一致した場合、一致した必須処理警報項目を受信済みに更新する  (Ｓ３３) 。取得したテーブル情報に格納されているタイムアウト時間だけ待機して、警報処理部４５は取得したテーブル情報に格納されている必須処理警報項目を全て受信済みに更新できたか判断する  (Ｓ３４) 。
【００７０】
一定時間内に取得したテーブル情報に格納されている必須処理警報項目を全て受信済みに更新した場合、警報管理部４０は定期監視を終了し、警報情報作成部４７が緊急対応不要の内容を記載した警報情報を作成する  (Ｓ３５) 。
【００７１】
テーブル情報を取得できなかった場合、および一定時間内に取得したテーブル情報の必須処理警報項目を全て受信済みに更新できなかった場合、警報管理部４０は定期監視を終了し、警報情報作成部４７は異常の対応が必要な旨を記載した警報情報を作成する  (Ｓ３６) 。
【００７２】
図６に示す警報情報送信部４８が警報メールをメールサーバ３００に送るステップ(Ｓ３７とＳ３８)は実施の形態１で説明したステップ(Ｓ１８、Ｓ１９)と同様であるのでここでの説明を省略する。
【００７３】
以上、説明したように実施の形態２によれば、サブコントローラ２８を定期監視することで電力管理装置４０はサブコントローラ２８から無作為に送信される警報を一定間隔で警報処理を行うことができ、警報取得部４５の負担を軽減できる。
【００７４】
また、警報処理部４５は警報を送信したサブコントローラ２８のＩＤを取得してテーブル情報を取得するため、同時間帯に複数の警報が警報処理部４５に送信された場合にも警報をサブコントローラ２８の各ＩＤに分類してから、テーブル情報に基づいた集約処理を
する。そのため、複数のサブコントローラ２８に警報が送信されたのか、一つのサブコントローラ２８に複数の警報が送信されたのか判別でき、異常に対しての集約処理の負担が軽減される。
【００７５】
本発明の実施の形態１、２では蓄電装置２２で異常が発生した場合の警報管理を示した。ここで、サブコントローラ２８は蓄電装置２２の充放電状態に関するデータに異常を判定した場合にサブコントローラ２８と電力管理装置４０は警報の相互通信をする。この相互通信は蓄電装置２２に異常が発生した場合のみ起こるものであるため、不定期に行われる相互通信である。
【００７６】
本発明の実施の形態３ではサブコントローラ２８と電力管理装置４０で起きる通信路の異常に対しても警報管理を適用し、サブコントローラ２８と電力管理装置４０とを一定間隔で相互通信するものとした変形例を示す。
【００７７】
各サブコントローラ２８は蓄電装置２２に異常がない場合も異常がない旨を警報の内容として、電力管理装置４０に一定間隔で送信する。また、電力管理装置４０がサブコントローラ２８に警報送信に対する応答をすることで、サブコントローラ２８と電力管理装置４０は一定間隔で相互通信することができる。
【００７８】
サブコントローラ２８は警報送信に対して電力管理装置４０からの応答が無かった場合、通信異常と判断して、ログデータ未到達の警報をマスターコントローラ２９に送信する。マスターコントローラ２９はサブコントローラ２８から送信されたログデータ未到達の警報を電力管理装置４０に送信する。電力管理装置４０に送信されたログデータ未到達の警報は本発明の実施の形態１、２に説明した警報処理と同様の処理を行うことで、ログデータ未到達の警報に関しても集約して処理することができる。
【００７９】
以上説明したように本実施の形態３によれば、サブコントローラ２８と電力管理装置４０間の通信が切断されていてもマスターコントローラ２９と通信路を通して警報を送れるため、通信異常にも、対応先は事前に異常の状況を知ることができるため対応が容易になる。
【００８０】
また、警報を集約して、警報情報を送信することで、蓄電装置の異常なのか、通信路の異常なのかを警報情報の内容で判断でき、蓄電装置の異常対応者や通信異常の異常対応者等に送信先を変更することが容易となる。
【００８１】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【００８２】
例えば、蓄電装置２２に関して送信される警報についての例を説明した。この点、蓄電装置２２の代わりに、双方向電力変換部２６の異常に関して送信される警報と双方向電力変換部２６の異常に対処する度に送信される警報についての処理としてもよい。
【符号の説明】
【００８３】
１０  ＬＡＮ、１１  系統電源、  １２  系統、  １３  負荷、  １４  電力計、  ２０  蓄電棟、  ２１  蓄電池ユニット、  ２２  蓄電装置、  ２３  スイッチ、  ２４  ブレーカ、  ２５  ブレーカ回路、  ２６  双方向電力変換部、  ２７  電力変換管理部、  ２８  サブコントローラ、  ２９  マスターコントローラ、  ３０  システムコントローラ、  ４０  電力管理装置、  ４１  警報受信部、  ４２  格納部、  ４３  制御部、  ４４  警報プロファイルＤＢ、  ４５  警報取得部、  ４６  警報処理部、  ４７  
警報情報作成部、  ４８  警報情報送信部、  １００  施設集合体、  ２００  ＷＡＮ、
３００  メールサーバ、  ４００  携帯機器。  
【図１】
2013161118.tif 000003
【図２】
2013161118.tif 000004
【図３】
2013161118.tif 000005
【図４】
2013161118.tif 000006
【図５】
2013161118.tif 000007
【図６】
2013161118.tif 000008